(57)【要約】      （修正有）【課題】食べ物を置く空間を増加でき、構造の強度を補強できる弁当箱用蓋を提供する。【解決手段】蓋本体を含み、蓋本体は、食べ物容器を被るときに食べ物容器に向いている裏面と、裏面の反対側に位置する外面と、を有し、金型によって蓋本体をプレスすることにより、環状縁と、Ｙ字形リブと、収容空間と、が形成される。環状縁は、蓋本体の裏面に設けられ、収容空間の外縁に形成され、Ｙ字形リブは収容空間の底面に設けられ、Ｙ字形リブにより、ユーザは野菜と肉とを仕切ることができ、蓋本体の周縁から複数の折り部が延び、蓋本体と折り部との連接エッジに折り線が設けられ、折り部は折り線に沿って裏面に湾折され、折り部により、食べ物容器に蓋本体を被って定位することができる。【選択図】図２
0003177220.tif 000002
【実用新案登録請求の範囲】
【請求項１】
蓋本体を含み、前記蓋本体は、食べ物容器を被るときに前記食べ物容器に向いている裏面と、前記裏面の反対側に位置する外面と、を有し、金型によって前記蓋本体をプレスすることにより、環状縁と、Ｙ字形リブと、収容空間と、が形成され、前記環状縁は、前記蓋本体の前記裏面に設けられ、前記収容空間の外縁に形成され、前記Ｙ字形リブは前記収容空間の底面に設けられ、前記Ｙ字形リブにより、ユーザは野菜と肉とを仕切ることができ、前記蓋本体の周縁から複数の折り部が延び、前記蓋本体と前記折り部との連接エッジに折り線が設けられ、前記折り部は前記折り線に沿って前記裏面に湾折され、前記折り部により、前記食べ物容器に前記蓋本体を被って定位することができることを特徴とする弁当箱用蓋。
【請求項２】
前記収容空間の前記底面と前記蓋本体の前記裏面とは、同じ平面に位置することを特徴とする、請求項１に記載の弁当箱用蓋。
【請求項３】
金型により前記蓋本体をプレスした後、前記収容空間の前記底面は前記蓋本体の前記裏面から突出し、前記裏面を上方に向くように前記蓋本体を卓面に置いて、前記収容空間に食べ物を置くときには、前記蓋本体の前記外面が前記卓面に当接し、前記蓋本体が転覆できないことを特徴とする、請求項１に記載の弁当箱用蓋。
【考案の詳細な説明】
【技術分野】
【０００１】
本考案は、弁当箱用蓋に関し、特に、食べ物を置く空間を増加でき、構造の強度を補強できる弁当箱用蓋に関するものである。
【背景技術】
【０００２】
一般的なバイキング式料理店は、店内に食べ物を食べるお客さんに食器、テイクアウトのお客さんに弁当箱を用意して食べ物を収容する。従来の弁当箱は、食べ物容器の一端が蓋の一端と連接して構成される。あるユーザは、蓋に肉や野菜を置くことにより、別の食べ物の取出しを容易にする。しかし、蓋に置かれる肉や野菜は、滑って蓋から離脱し、そのスープが蓋から卓面に流出しやすい問題があった。そしてバイキング式料理店は、食器と弁当箱とを別々に用意することが必要であるため、コストが増加し、資源を浪費する。
【考案の概要】
【考案が解決しようとする課題】
【０００３】
本考案の主な目的は、食べ物を置く空間を増加でき、構造の強度を補強できる弁当箱用蓋を提供することにある。
【課題を解決するための手段】
【０００４】
本考案の弁当箱用蓋によると、蓋本体を含み、蓋本体は、食べ物容器を被るときに食べ物容器に向いている裏面と、裏面の反対側に位置する外面と、を有し、金型によって蓋本体をプレスすることにより、環状縁と、Ｙ字形リブと、収容空間と、が形成され、環状縁は、蓋本体の裏面に設けられ、収容空間の外縁に形成され、Ｙ字形リブは収容空間の底面に設けられ、Ｙ字形リブにより、ユーザは野菜と肉とを仕切ることができ、蓋本体の周縁から複数の折り部が延び、蓋本体と折り部との連接エッジに折り線が設けられ、折り部は折り線に沿って裏面に湾折され、折り部により、食べ物容器に蓋本体を被って定位することができることを特徴とする。
【０００５】
本考案の弁当箱用蓋によると、収容空間の底面と蓋本体の裏面とは、同じ平面に位置することを特徴とする。
【０００６】
本考案の弁当箱用蓋によると、金型により蓋本体をプレスした後、収容空間の底面は蓋本体の裏面から突出し、裏面を上方に向くように蓋本体を卓面に置いて、収容空間に食べ物を置くときには、蓋本体の外面が卓面に当接し、蓋本体が転覆できないことを特徴とする。
【考案の効果】
【０００７】
本考案の弁当箱用蓋によれば、次のような効果がある。
（１）本考案の収容空間に食べ物を置くことにより、食べ物を置く空間を増加でき、蓋に置かれる肉や野菜は、滑って蓋から離脱し、そのスープが蓋から卓面に流出しやすい問題を解決でき、Ｙ字形リブにより、肉と野菜とを仕切ることができ、食べ物の味を混ざることを回避でき、そして構造の強度を補強できる。
【０００８】
（２）食べ物容器に本考案の蓋本体を合せて利用することにより、コストを減少でき、使用が便利となる。
【図面の簡単な説明】
【０００９】
【図１】本考案の一実施例と食べ物容器との組合済み状態を示す斜視図である。
【図２】本考案の一実施例と食べ物容器との分解斜視図である。
【図３】本考案の別の実施例を示す斜視図である。
【図４】本考案の一実施例と食べ物容器との使用状態を示す斜視図である。
【考案を実施するための形態】
【００１０】
以下、本考案の実施の形態を図面に基づいて説明する。
【００１１】
まず、図１乃至図４を参照する。本考案の一実施例の弁当箱用蓋は、蓋本体１０を含む。蓋本体１０は、食べ物を収容可能である食べ物容器２０に合せて利用される。蓋本体１０は、食べ物容器２０を被るときに食べ物容器２０に向いている裏面１１と、裏面１１の反対側に位置する外面１２と、を有する。金型によって蓋本体１０をプレスすることにより、環状縁１３と、収容空間１４と、Ｙ字形リブ１５と、が形成される。環状縁１３は、円形を呈し、蓋本体１０の裏面１１に設けられ、収容空間１４の外縁に形成される。Ｙ字形リブ１５は収容空間１４の底面に設けられる。Ｙ字形リブ１５により、ユーザは野菜と肉とを仕切ることができ、食べ物の味を混ざることを回避でき、食べ物を置く空間を増加でき、構造の強度を補強でき、そして肉や野菜のスープが蓋から卓面に流出することがなくなる。蓋本体１０の周縁から複数の折り部１６が延びる。蓋本体１０と折り部１６との連接エッジに折り線１６１が設けられる。折り部１６は折り線１６１に沿って裏面１１に湾折され可能である。折り部１６により、食べ物容器２０に蓋本体１０を被って定位することができる。
【００１２】
本考案の一実施例は、図２に示すように、収容空間１４の底面と蓋本体１０の裏面１１とは、同じ平面に位置する。これにより、食べ物容器２０と蓋本体１０とは、別々に積み上げることができる。
【００１３】
本考案の別の実施例は、図１及び図３に示すように、金型により蓋本体１０をプレスした後、収容空間１４の底面が蓋本体１０の裏面１１から突出し、裏面１１を上方に向くように蓋本体１０を卓面に置いて、収容空間１４に食べ物を置くときには、蓋本体１０の外面１２が卓面に当接し、蓋本体１０が転覆できない。
【００１４】
このように、バイキング式料理店は、蓋本体１０及び食べ物容器２０だけを用意することにより、店内に食べ物を食べるお客さんと、テイクアウトのお客さんとに対応でき、コストを減少できる。少量の食べ物を食べたいお客さの場合には、蓋本体１０の裏面１１を上方に向くようにして、収容空間１４に食べ物を入れて、お客さに渡す。より多量の食べ物を食べたいお客さの場合には、食べ物容器２０に食べ物を入れて、お客さに渡す。なお、テイクアウトのお客さんの場合には、食べ物容器２０に食べ物を入れて、食べ物容器２０に蓋本体１０を被って、お客さに渡す。使用が極めて便利となる。
【産業上の利用可能性】
【００１５】
本考案は、弁当箱に適用することができる。
【符号の説明】
【００１６】
１０：蓋本体
１１：裏面
１２：外面
１３：環状縁
１４：収容空間
１５：Ｙ字形リブ
１６：折り部
２０：食べ物容器
１６１：折り線
【図１】
0003177220.tif 000003
【図２】
0003177220.tif 000004
【図３】
0003177220.tif 000005
【図４】
0003177220.tif 000006